(57)【要約】【課題】軽量化を図りながら、弾性樹脂部材による気密性を高めて、かつ、製作工数を削減すること。【解決手段】歯科用ハンドピース１は、先端部に配設されたハンドピースヘッド２と、後端部に配設された接続部３と、を有し、接続部３を歯科用ユニットに接続して使用するものである。歯科用ハンドピース１は、ハンドピースヘッド２と接続部３とを連通する複数の金属製パイプ４，５と、少なくともハンドピースヘッド２の後端部から接続部３の先端部までを覆うように装着された弾性樹脂部材６と、を備えている。金属製パイプ４，５の外周部が弾性樹脂部材６の内部に密着して埋設された状態で内在している。【選択図】図１
2018007846.tif 000002
【特許請求の範囲】
【請求項１】
先端部に配設されたハンドピースヘッドと、後端部に配設された接続部と、を有し、
前記接続部を歯科用ユニットに接続して使用する歯科用ハンドピースであって、
前記ハンドピースヘッドと前記接続部とを連通する複数の金属製パイプと、
少なくとも前記ハンドピースヘッドの後端部から前記接続部の先端部までを覆うように装着された弾性樹脂部材と、を備え、
前記金属製パイプの外周部が前記弾性樹脂部材の内部に密着して埋設された状態で内在すること、
を特徴とする歯科用ハンドピース。
【請求項２】
前記接続部は、金属部材で構成され、
前記金属製パイプは、前記接続部を貫通した状態で当該接続部の後端部からはみ出すように突出して配設され、
前記接続部は、当該接続部の先端部から後端部まで貫通する連通孔を備え、
前記弾性樹脂部材は、
前記ハンドピースヘッドの後端部から前記接続部の先端部までを覆うように装着された本体被覆部と、
前記接続部の後端部を覆うように装着されたシール部と、
前記本体被覆部と前記シール部とを連通させる連通部と、を備え、
前記連通部は、前記連通孔に内在すること、
を特徴とする請求項１に記載の歯科用ハンドピース。
【請求項３】
前記接続部の外周部には、凹部が形成され、
前記本体被覆部が、前記凹部に内在して装着されていること、
を特徴とする請求項２に記載の歯科用ハンドピース。
【請求項４】
前記弾性樹脂部材は、着色された熱可塑性樹脂であること、
を特徴とする請求項１から請求項３のいずれか１項に記載の歯科用ハンドピース。
【請求項５】
前記着色された熱可塑性樹脂は、シリコーン樹脂であること、
を特徴とする請求項４に記載の歯科用ハンドピース。
【請求項６】
先端部に配設されたハンドピースヘッドと、後端部に配設された接続部と、前記ハンドピースヘッドと前記接続部とを連通する金属製パイプと、を有する歯科用ハンドピースの製造方法であって、
樹脂モールド成形によって、少なくとも前記ハンドピースヘッドの後端部から前記接続部の先端部までを覆うように弾性樹脂部材をモールドして、前記弾性樹脂部材の内部に密着して埋設された状態で前記金属製パイプを内在させること、
を特徴とする歯科用ハンドピースの製造方法。
【請求項７】
前記接続部は、金属部材で構成され、
前記金属製パイプは、前記接続部を貫通した状態で当該接続部の後端部からはみ出すように突出して配設され、
前記接続部は、当該接続部の前端部から後端部まで貫通する連通孔を備え、
前記モールドされた弾性樹脂部材は、
前記ハンドピースヘッドの後端部から前記接続部の先端部までを覆うように装着された本体被覆部と、
前記接続部の後端部を覆うように装着されたシール部と、
前記本体被覆部と前記シール部とを連通させる連通部と、を備え、
前記連通部は、前記連通孔に内在すること、
を特徴とする請求項６に記載の歯科用ハンドピースの製造方法。
【発明の詳細な説明】
【技術分野】
【０００１】
本発明は、歯科用ハンドピースおよび歯科用ハンドピースの製造方法に係り、特に、金属製パイプが弾性樹脂部材に内在する歯科用ハンドピースおよび歯科用ハンドピースの製造方法に関する。
【背景技術】
【０００２】
従来、歯科用ハンドピースを軽量化するために、合成樹脂製把持部と、合成樹脂製液体流路用チューブを備えた歯科用ハンドピースが知られている(例えば、特許文献１参照)。
【０００３】
特許文献１に記載された合成樹脂製把持部は、着脱式頭部のОリング付き連結管が嵌入される連結孔を備えている連結部を先端に有し、連結部を着脱式頭部に着脱する。かかる構成により、金属製のコネクターを設けなくてもよい構造になっていた。合成樹脂把持部は、管状をなし、内部には合成樹脂製液体流路用チューブが貫通して配設されている。
【先行技術文献】
【特許文献】
【０００４】
【特許文献１】特開昭６４−６２１５１号公報（請求項１、第３頁の左下欄〜第４頁の左上欄、図２と図４）
【発明の概要】
【発明が解決しようとする課題】
【０００５】
しかしながら、特許文献１に記載された歯科用ハンドピースは、着脱式頭部の構造が複雑になるため、製作工数が増大するという問題があった。また、着脱式頭部に対して連結部を着脱するため、着脱式頭部での気密性が確保しにくいという問題があった。
【０００６】
そこで、本発明は、軽量化を図りながら、弾性樹脂部材による気密性を高めて、かつ、製作工数を削減することができる歯科用ハンドピースおよび歯科用ハンドピースの製造方法を提供することを課題とする。
【課題を解決するための手段】
【０００７】
前記課題を解決するため、本発明に係る歯科用ハンドピースは、先端部に配設されたハンドピースヘッドと、後端部に配設された接続部と、を有し、前記接続部を歯科用ユニットに接続して使用する歯科用ハンドピースであって、前記ハンドピースヘッドと前記接続部とを連通する複数の金属製パイプと、少なくとも前記ハンドピースヘッドの後端部から前記接続部の先端部までを覆うように装着された弾性樹脂部材と、を備え、前記金属製パイプの外周部が前記弾性樹脂部材の内部に密着して埋設された状態で内在することを特徴とする。
【０００８】
かかる構成によれば、歯科用ハンドピースの金属製パイプの外周部は、弾性樹脂部材の内部に密着して埋設された状態で内在していることで、金属製パイプの外周部を弾性樹脂部材で隙間が無く覆って、気密性を高めることができる。特に、弾性樹脂部材は、接続部の後端部を覆うことで、薬剤や、菌や、塵内等が部材内に侵入するのを防止することができる。
また、歯科用ハンドピースは、ハンドピースヘッドの後端部から接続部の先端部までのグリップ部を弾性樹脂部材で形成したことによって、金属製のものと比較して軽量化することができる。このため、操作性を向上させることができると共に、長時間使用しても、疲れないようにすることができる。
また、弾性樹脂部材製のグリップ部は、金属製のものと比較して、熱伝導性が低いので、滅菌処理後に直ぐに使用することができる。また、そのグリップ部は、金属と比べて弾性を有しているので、患者の歯に接触したときの違和感を緩和することができる。
【０００９】
また、前記接続部は金属部材で構成され、前記金属製パイプは、前記接続部を貫通した状態で当該接続部の後端部からはみ出すように突出して配設され、前記接続部は、当該接続部の先端部から後端部まで貫通する連通孔を備え、前記弾性樹脂部材は、前記ハンドピースヘッドの後端部から前記接続部の先端部までを覆うように装着された本体被覆部と、前記接続部の後端部を覆うように装着されたシール部と、前記本体被覆部と前記シール部とを連通させる連通部と、を備え、前記連通部は、前記連通孔に内在することが好ましい。
【００１０】
かかる構成によれば、歯科用ハンドピースの接続部は、金属製パイプを、接続部を貫通してはみ出すように突出していることによって、金属製パイプを接続部にしっかりと固定することができる。
また、歯科用ハンドピースの弾性樹脂部材は、本体被覆部とシール部とを連通させる連通部を、連通孔に内在していることによって、本体被覆部とシール部とを連結して歯科用ハンドピースの接続にしっかりと固定させることができる。
【００１１】
また、前記接続部の外周部には凹部が形成され、前記本体被覆部が前記凹部に内在して装着されていることが好ましい。
【００１２】
かかる構成によれば、弾性樹脂部材は、本体被覆部を接続部の凹部に内在して装着されていることによって、接続部にしっかりと連結して、軸方向のずれを防止することができる。
【００１３】
また、前記弾性樹脂部材は、着色された熱可塑性樹脂であることが好ましい。
【００１４】
かかる構成によれば、弾性樹脂部材は、着色された熱可塑性樹脂であることによって、歯科用ハンドピースのグリップ部を使用者の好みの色にすることができる。また、歯科用ハンドピースの種類毎に色分けしたり、本体の色彩と共通化したりすることができる。
【００１５】
また、前記着色された熱可塑性樹脂は、シリコーン樹脂であることが好ましい。
【００１６】
かかる構成によれば、弾性樹脂部材である熱可塑性樹脂は、シリコーン樹脂から成ることによって、使用者はソフトな感触で把持することができる。また、シリコーン樹脂の部位が、患者の歯に接触したり、落下したりしたときの衝撃を緩衝することができる。
【００１７】
また、本発明に係る歯科用ハンドピースの製造方法は、先端部に配設されたハンドピースヘッドと、後端部に配設された接続部と、前記ハンドピースヘッドと前記接続部とを連通する金属製パイプと、を有する歯科用ハンドピースの製造方法であって、樹脂モールド成形によって、少なくとも前記ハンドピースヘッドの後端部から前記接続部の先端部までを覆うように弾性樹脂部材をモールドして、前記弾性樹脂部材の内部に密着して埋設された状態で前記金属製パイプを内在させることを特徴とする。
【００１８】
かかる構成によれば、歯科用ハンドピースの製造方法は、ハンドピースヘッドの後端部から接続部の先端部までを弾性樹脂部材をモールドして金属製パイプを内在したことで、軽量化と弾性樹脂部材による気密性とを高めることができる。
また、この製造方法で製造された歯科用ハンドピースは、ハンドピースヘッドの後端部から接続部の先端部までを弾性樹脂部材でモールド成形したことで、ハンドピースヘッドの後端部と、接続部の前端部とに隙間なく密着して埋設された状態に金属製パイプを内在させた樹脂製のグリップ部を形成することができる。
【００１９】
また、前記接続部は金属部材で構成され、前記金属製パイプは、前記接続部を貫通した状態で当該接続部の後端部からはみ出すように突出して配設され、前記接続部は、当該接続部の前端部から後端部まで貫通する連通孔を備え、前記モールドされた弾性樹脂部材は、前記ハンドピースヘッドの後端部から前記接続部の先端部までを覆うように装着された本体被覆部と、前記接続部の後端部を覆うように装着されたシール部と、前記本体被覆部と前記シール部とを連通させる連通部と、を備え、前記連通部は、前記連通孔に内在することが好ましい。
【００２０】
かかる構成によれば、弾性樹脂部材は、ハンドピースヘッドの後端部から接続部の先端部までを覆うように装着された本体被覆部を有していることによって、グリップ部を弾性樹脂製にすることができるため、ソフトな感触にすることができる。また、グリップ部を弾性樹脂部材で形成したことによって、患者の歯に接触したり、落下したりしたときの衝撃を緩衝することができる。
また、弾性樹脂部材は、連通部を接続部の連通孔に内在したことによって、弾性樹脂部材を接続部にしっかりと取り付けることができる。
【発明の効果】
【００２１】
本発明は、軽量化を図りながら、弾性樹脂部材による気密性を高めて、かつ、製作工数を削減することができる歯科用ハンドピースおよび歯科用ハンドピースの製造方法を提供することができる。
【図面の簡単な説明】
【００２２】
【図１】本発明の実施形態に係る歯科用ハンドピースを示す一部断面を有する側面図である。
【図２】本発明の実施形態に係る歯科用ハンドピースの製造方法を示す工程図である。
【図３】歯科用ハンドピースの製造方法の金型成形工程を示す工程図である。
【図４】本発明の実施形態に係る歯科用ハンドピースの第１変形例を示す一部断面を有する側面図である。
【図５】本発明の実施形態に係る歯科用ハンドピースの第２変形例を示す拡大背面図である。
【図６】図５のＶＩ−ＶＩ断面図である。
【図７】図５のＶＩＩ−ＶＩＩ断面図である。
【発明を実施するための形態】
【００２３】
まず、図１〜図３を参照して、本発明の実施形態に係る歯科用ハンドピースおよび歯科用ハンドピースの製造方法について説明する。
なお、本実施形態では、図１に示す歯科用ハンドピース１において、ハンドピースヘッド２側を前方向、接続部３側を後方向として説明する。また、各部品においても同様とする。
【００２４】
＜歯科用ハンドピース＞
図１に示す歯科用ハンドピース１は、歯科の治療に用いられる医療機器である。歯科用ハンドピース１は、先端部に配設されたハンドピースヘッド２と、後端部に配設された接続部３と、ハンドピースヘッド２と接続部３とを連通する複数の金属製パイプ４，５と、グリップ部１ａを覆う弾性樹脂部材６と、を備えている。その歯科用ハンドピース１は、接続部３を歯科用ユニット（図示省略）に接続して、所望の切削工具７をハンドピースヘッド２に取り付けて使用する。
【００２５】
なお、歯科用ハンドピース１は、前記したハンドピースヘッド２と、接続部３と、複数の金属製パイプ４，５と、弾性樹脂部材６とを備えていれば、機能、構造、種類等は特に限定されない。つまり、歯科用ハンドピース１は、種々のタイプのものがあり、内部にバッテリまたは外部電源からの電力で駆動するモータ（図示省略）等が内蔵されているものであっても、内蔵されていないものでもよく、また、ハンドピースヘッド２Ｂ（図５〜図６参照）に歯科用チップを設け電力によって超音波振動させる歯科用スケーラーでもよく、また、電力以外で駆動するものでもよい。以下、ハンドピースヘッド２にロータ（図示省略）を内蔵している歯科用ハンドピース１を例に挙げて説明する。
【００２６】
＜ハンドピースヘッド＞
ハンドピースヘッド２は、切削工具７が着脱可能に取り付けられる部位である。ハンドピースヘッド２は、歯科用ハンドピース１のグリップ部１ａの先端に設けられた略円筒状の部材である。ハンドピースヘッド２および接続部３は、ステンレス鋼等の金属によって形成されている。ハンドピースヘッド２には、下部側に形成された切削工具７着脱用の開口穴２ａと、グリップ部１ａが連結される首部２ｂと、切削工具７を回転駆動させるロータ（図示省略）等が設けられている。
【００２７】
首部２ｂ内には、金属製パイプ４，５の前端部が装着される挿入穴（図示省略）が形成されている。首部２ｂの後端側の外周部には、弾性樹脂部材６が覆った状態の樹脂成形されている。
ロータ（図示省略）を内蔵したタイプの歯科用ハンドピース１は、ハンドピースヘッド２内のロータ（図示省略）を圧縮空気によって高速回転させて、ロータ軸に装着された切削工具７を高速回転させることで、歯牙を切削するようになっている。
【００２８】
＜切削工具＞
切削工具７は、ハンドピースヘッド２の開口穴２ａ内に取り付けられる柄部と、開口穴２ａから突出した状態に設けられる先細状の針部と、を有する周知の構造を呈している。
【００２９】
＜接続部＞
接続部３は、弾性樹脂部材６の後端部に一体に取り付けられる略筒状の部材から成る。接続部３は、軸方向に貫通して形成された連通孔３ａと、前端部寄りの位置に環状に形成された凹部３ｂと、本体被覆部後端面６ｄに隣接された段差部３ｃと、金属製パイプ４，５が挿入されるパイプ挿設孔３ｄ，３ｅと、を有している。
【００３０】
連通孔３ａは、グリップ部１ａの金型成形時に、本体被覆部６ａを形成する樹脂材料が、連通孔３ａ内からシール部６ｂまで流れて、連通部６ｃおよびシール部６ｂを形成し、本体被覆部６ａとシール部６ｂとを連続した状態に形成するための貫通孔である。連通孔３ａ内に配置される樹脂材料は、凹部３ｂ内から接続部３の後端面３ｇに亘って軸方向に沿って形成されて、本体被覆部６ａの樹脂材料と、シール部６ｂの樹脂材料と、を繋いでいる。連通孔３ａは、前後方向から接続部３を視て、上下左右寄りの４つの位置に形成されている。
【００３１】
凹部３ｂは、グリップ部１ａの金型成形時に、本体被覆部６ａを形成する樹脂材料が、流れ込んで形成されることによって、弾性樹脂部材６を接続部３にしっかりと固定させるための部位である。
【００３２】
段差部３ｃは、連通孔３ａの外周面から軸心方向の段差状に下がって形成された部位である。この段差部３ｃと、本体被覆部後端面６ｄとは、縦断面視して凹形状の環状溝を形成している。
【００３３】
パイプ挿設孔３ｄ，３ｅは、金属製パイプ４，５を挿通して接続部３から後方に突出した状態に配置するめの貫通孔である。
【００３４】
＜金属製パイプ＞
金属製パイプ４，５は、ハンドピースヘッド２から接続部３に亘って配置された複数の管状部材である。金属製パイプ４，５は、従来の配管と同様に、ロータ用などの圧縮空気を供給・排気したり、水や空気を供給したりするための流路を形成している。金属製パイプ４，５は、例えば、４本から成るが、その数は特に限定されない。
【００３５】
その場合、図３に示すように、金属製パイプ４は、ロータ（図示省略）を回転させるための圧縮空気供給用のパイプと、圧縮空気排気用のパイプとの２本から成る。この２本の金属製パイプ４は、接続部３及び弾性樹脂部材６において、縦断面視して略中央部分の左右に配置されている。
【００３６】
また、金属製パイプ５は、水を供給するための水供給用のパイプと、その水と共にエアを供給してミスト（霧）を生成するためのチップ用エアを供給するパイプとの２本から成る。つまり、２本の金属製パイプ５は、切削工具７を冷却して作業効率をよくしたり、また、治療中に血液などで汚れた患部を視認し易くしたりする目的で、異物等を吹き飛ばすために使用される。金属製パイプ５は、金属製パイプ４よりも小径に形成されている。この２本の金属製パイプ５は、接続部３及び弾性樹脂部材６において、縦断面視して中央部分の下側寄りの左右に配置されている。
【００３７】
図１に示すように、グリップ部１ａにおいて、金属製パイプ４，５の外周部は、弾性樹脂部材６の内部に密着して埋設された状態で内在されている。このため、金属製パイプ４，５は、グリップ部１ａにおいて、骨部材の役目を果している。金属製パイプ４，５の前端部は、首部２ｂの後端面２ｃからハンドピースヘッド２内に挿入されている。金属製パイプ４，５の前端部には、金属製パイプ４，５と、ハンドピースヘッド２の後端面２ｃと、をろう付け等によって接合するための前側接合部４ａ，５ａを有している。金属製パイプ４，５の後端部は、接続部３を貫通した状態で接続部３の後端部からはみ出すように突出して配設されている。金属製パイプ４，５の後端部は、金属製パイプ４，５と接続部３の前端面３ｆとをろう付け等によって接合するための後側接合部４ｂ，５ｂと、金属製パイプ４，５と接続部３の後端面３ｇとをろう付け等によって接合するための後部接後部４ｃ，５ｃと、を有している。
【００３８】
＜弾性樹脂部材＞
弾性樹脂部材６は、少なくともハンドピースヘッド２の後端部から金属製パイプ４，５を介して接続部３の先端部までを覆うように装着されている。弾性樹脂部材６は、グリップ部１ａを形成する本体被覆部６ａと、接続部３の後端部を覆うように装着されたシール部６ｂと、本体被覆部６ａとシール部６ｂとを連通させる連通部６ｃと、段差部３ｃの側壁に対向配置された本体被覆部後端面６ｄと、凹部３ｂ内に配置された係止部６ｅと、首部２ｂの後端部を覆うヘッド後端部被覆部６ｆと、を備えている。
【００３９】
弾性樹脂部材６は、金属よりも軽く、可撓性および弾力性を有する熱可塑性樹脂から成る。弾性樹脂部材６は、さらに、具体的には無色のシリコーン樹脂を所望の色に着色した有色の合成樹脂から成る。弾性樹脂部材６は、図３に示すように、金属製パイプ４，５の周囲に巻き付けたテープ形状（シート形状）の巻付樹脂部材６１を高温に加熱された金型８内に配置されることで、溶けてグリップ部１ａにモールド成形される。
【００４０】
図１に示すように、そのグリップ部１ａは、使用者が手で握って操作するための部位である。グリップ部１ａは、金属製パイプ４，５を内蔵した本体被覆部６ａによって略円形状に形成されている。
【００４１】
本体被覆部６ａは、ハンドピースヘッド２の後端部から接続部３の先端部までを覆うように装着された部位である。本体被覆部６ａは、側面視して円弧状に曲がって形成されている。
【００４２】
シール部６ｂは、接続部３を歯科用ユニット（図示省略）に接続したときに、接続部３と、接続部３に接続される歯科用ユニット（図示省略）と、の間に介在されるパッキンの役目を果す部位である。シール部６ｂは、接続部３の後端面３ｇ全体を覆うようにして設けられている。
【００４３】
連通部６ｃは、接続部３の連通孔３ａ内に充填された樹脂材料である。連通部６ｃは、本体被覆部６ａとシール部６ｂとを繋いだ状態に形成されている。
本体被覆部後端面６ｄは、段差部３ｃとで凹溝を形成するように配置されて、樹脂成形時に、本体被覆部後端面６ｄに形成されたバリを、取り除き易い形状に形成されている。
【００４４】
係止部６ｅは、環状の凹部３ｂ内に充填して形成された樹脂材料である。係止部６ｅおよび連通部６ｃは、弾性樹脂部材６が接続部３から剥離するのを防止するための機能を果す。
【００４５】
ヘッド後端部被覆部６ｆは、首部２ｂの後端面２ｃと、後端面２ｃの周縁部分と、を覆う部位である。このように構成されたヘッド後端部被覆部６ｆは、首部２ｂの後端面２ｃに密着した状態に形成されることによって、弾性樹脂部材６がハンドピースヘッド２側に移動するのを抑制する役目を果す。
【００４６】
図３に示すように、巻付樹脂部材６１は、金型８でモールド形成された弾性樹脂部材６（図１参照）のグリップ部１ａを金型形成する前の樹脂材料である。巻付樹脂部材６１は、所望の厚さに形成されたテープ形状（帯形状）のものから成り、グリップ部１ａに形成された弾性樹脂部材６と同じ体積の分だけ、ハンドピースヘッド２と接続部３との間の金属製パイプ４，５の外周に巻かれる。
【００４７】
＜作用＞
次に、図１〜図３を参照しながら製造工程に沿って本実施形態に係る歯科用ハンドピースおよび歯科用ハンドピースの製造方法の作用を説明する。
【００４８】
まず、図２（ａ）に示すように、前記したハンドピースヘッド２と、接続部３と、４本の金属製パイプ４，５と、をそれぞれ製造して準備する（準備工程）。
次に、それぞれの金属製パイプ４，５の先端部をハンドピースヘッド２の挿入穴（図示省略）に挿入し、各金属製パイプ４，５の後端部を接続部３のそれぞれのパイプ挿設孔３ｄ，３ｅに挿通する（金属製パイプ挿入工程）。
【００４９】
続いて、図２（ｂ）に示すように、各金属製パイプ４，５の前側接合部４ａ，５ａを、ハンドピースヘッド２の後端面２ｃにろう付けして接合すると共に、金属製パイプ４，５の後側接合部４ｂ，４ｃ，５ｂ，５ｃを接続部３の前端面３ｆおよび後端面３ｇにろう付けして接合する（ろう付け工程）。これにより、各金属製パイプ４，５をハンドピースヘッド２および接続部３に固定することができる。
【００５０】
この場合、歯科用ハンドピース１の接続部３は、各金属製パイプ４，５が、接続部３を貫通してはみ出して突出していることによって、各金属製パイプ４，５を接続部３にしっかりと固定することができる。
【００５１】
次に、図２（ｃ）に示すように、ハンドピースヘッド２の後端部から接続部３の先端部に亘って巻付樹脂部材６１を巻き付ける（巻付樹脂部材巻付工程）。
【００５２】
この後、図３に示す金型８で歯科用ハンドピース１をモールド成形する前に、上型８１と下型８２とで巻付樹脂部材６１を溶かして、グリップ部１ａをモールド成形するのに適した適温まで加熱する（加熱工程）。
【００５３】
続いて、巻付樹脂部材６１を巻き付けた未完成の歯科用ハンドピース１を、下型８２の金型溝に押し込んでセットする（金型セット工程）。
【００５４】
次に、下型８２の位置決め突起８２ｂに上型８１の井位置決め穴（図示省略）に嵌合させて、下型８２と上型８１とので未完成の歯科用ハンドピース１を押圧する。未完成の歯科用ハンドピース１の巻付樹脂部材６１は、高温に加熱された下型８２と上型８１とで押圧されることによって溶融してモールド成形され、図１に示す弾性樹脂部材６から成るグリップ部１ａに形成される（モールド成形工程）。
これにより、歯科用ハンドピース１が完成される。
【００５５】
このようにして歯科用ハンドピース１をモールド成形することで、各金属製パイプ４，５の外周部は、弾性樹脂部材６の内部に密着して埋設された状態で内在するので、外周部と弾性樹脂部材６との間の隙間を無く覆って、気密性を高めることができる。
また、弾性樹脂部材６は、ハンドピースヘッド２、接続部３、および、各金属製パイプ４，５に隙間なく密着した状態に設けられているので、薬剤や、菌や、塵内等がそれらの部材内に侵入するのを防止することができる。
【００５６】
また、歯科用ハンドピース１の弾性樹脂部材６は、本体被覆部６ａとシール部６ｂとを連通させる連通部６ｃを、連通孔３ａに内在していることによって、本体被覆部６ａとシール部６ｂとを連結して接続部３にしっかりと固定させることができる。
【００５７】
さらに、弾性樹脂部材６は、本体被覆部６ａを接続部３の凹部３ｂに内在して装着されていることによって、接続部３にしっかりと連結して、軸方向のずれを防止することができる。
【００５８】
このようにして形成された歯科用ハンドピース１は、ハンドピースヘッド２に切削工具７を取り付けて、エアを供給することによってロータ（図示省略）が回転駆動されることで、切削工具７が回転して患者の歯を治療することが可能となる。
【００５９】
また、歯科用ハンドピース１は、ハンドピースヘッド２の後端部から接続部３の先端部までのグリップ部１ａを弾性樹脂部材６で覆うように形成したことによって、金属製のハンドピースと比較して軽量化することができる。このため、操作性を向上させることができると共に、使用者が長時間使用しても、疲れないようにすることができる。
【００６０】
歯科用ハンドピース１の製造方法は、ハンドピースヘッド２の後端部から接続部３の先端部までを弾性樹脂部材６をモールドして金属製パイプ４，５を内在したことで、ハンドピースヘッド２の後端部と、接続部３の前端部とに隙間なく密着して埋設された状態で金属製パイプ４，５を内在させた弾性樹脂製のグリップ部１ａを形成することができる。このため、グリップ部１ａをソフトな感触にすることができる。
【００６１】
また、歯科用ハンドピース１は、金属製のハンドピースと比較して、熱伝導性が低いので、歯科用ハンドピース１を滅菌処理後に直ぐに使用することができる。また、そのグリップ部１ａは、金属と比べて弾性を有しているので、患者の歯に接触したときの違和感を緩和することができる。
【００６２】
また、弾性樹脂部材６である熱可塑性樹脂は、シリコーン樹脂から成ることによって、使用者はソフトな感触で把持することができると共に、滑り難いので、扱い易い。また、シリコーン樹脂の部位が、患者の歯に接触したり、落下したりしたときの衝撃を緩衝することができる。
【００６３】
また、弾性樹脂部材６は、着色された熱可塑性樹脂であることによって、歯科用ハンドピース１のグリップ部１ａを使用者の好みの色にすることができる。また、歯科用ハンドピース１の色を種類毎に色分けしたり、本体の色彩と共通化したりすることができる。
【００６４】
［第１変形例］
なお、本発明は、前記実施形態に限定されるものではなく、その技術的思想の範囲内で種々の改造および変更が可能であり、本発明はこれら改造および変更された発明にも及ぶことは勿論である。なお、既に説明した構成は同じ符号を付してその説明を省略する。
図４は、本発明の実施形態に係る歯科用ハンドピースの第１変形例を示す一部断面を有する側面図である。
【００６５】
本実施形態においては、図１に示すように、エアや液体を供給または排出するための金属製パイプ４，５を配置して、そのエアで駆動されるロータを利用した歯科用ハンドピース１を説明したが、これに限定されるものではない。例えば、図４に示す歯科用ハンドピース１Ａのように、切削工具７を電動モータ（図示省略）で駆動するようにしたものであってもよい。
【００６６】
この場合、歯科用ハンドピース１Ａは、先端部に配設されたハンドピースヘッド２Ａと、後端部に配設された接続部３Ａと、ハンドピースヘッド２Ａと接続部３Ａとを連通する金属製パイプ４Ａ，５Ａと、グリップ部１Ａａを覆う弾性樹脂部材６Ａと、金属製パイプ４Ａに内設されて電動モータ（図示省略）によって回転駆動される歯車機構９と、を備えている。
【００６７】
歯車機構９は、歯科用ハンドピース１Ａ外に設けた電動モータ（図示省略）のロータ軸に連結された連結部材に連結されている。歯車機構９は、金属製パイプ４Ａ内に配置されて、電動モータ（図示省略）が回転駆動すると、切削工具７駆動用のロータギヤ９３を回転させるように構成されている。
【００６８】
歯車機構９は、電動モータのロータ軸に連動する第１連動歯車９１と、第１連動歯車９１に連動回転する第２連動歯車９２と、第２連動歯車９２よって回転されるロータギヤ９３と、第１連動歯車９１および第２連動歯車９２の軸部９１ａ，９２ａを軸支する軸受部９４と、を備えている。
【００６９】
第１連動歯車９１は、金属製の棒状部材から成る軸部９１ａと、軸部９１ａの後端部に形成されたモータ連結部９１ｂと、軸部９１ａの前端に設けられた傘歯車９１ｃと、を備えて構成されている。第１連動歯車９１は、軸部９１ａを金属製パイプ４Ａ内に設置された複数の軸受部９４によって、回転自在に軸支されている。傘歯車９１ｃと、傘歯車９１ｃが噛合する受歯車９２ｂとは、金属製パイプ４Ａの中央部の折曲部４Ａａの内側に配置されている。
【００７０】
第２連動歯車９２は、金属製の棒状部材から成る軸部９２ａと、軸部９２ａの後端部に形成され受歯車９２ｂと、軸部９２ａの前端に設けられたフロントギヤ９２ｃと、を備えて構成されている。第２連動歯車９２は、軸部９２ａを金属製パイプ４Ａ内に設置された複数の軸受部９４によって、回転自在に軸支されている。受歯車９２ｂは、傘歯車９１ｃに対して、軸部９１ａ，９２ａが傾いた状態で噛合している。フロントギヤ９２ｃは、ロータギヤ９３に対して直交する向きで噛合している。
【００７１】
ロータギヤ９３は、フロントギヤ９２ｃに噛合した状態でハンドピースヘッド２Ａに内設された歯車である。ロータギヤ９３は、フロントギヤ９２ｃに連動回転することによって切削工具７を同回転させる。
第１連動歯車９１および第２連動歯車９２を軸支する軸受部９４は、例えば、金属製パイプ４Ａ内に適宜な間隔で内設されたベアリングから成る。
【００７２】
ハンドピースヘッド２Ａには、前記実施形態と同様に、下部側に切削工具７が着脱可能に設けられる。ハンドピースヘッド２Ａには、切削工具７を回転駆動させるためのロータギヤ９３と、グリップ部１Ａａの前端が連結される首部２Ａｂと、が設けられている。
【００７３】
接続部３Ａは、前端面３Ａｆおよび外周部が弾性樹脂部材６Ａによって覆われ、後端面３Ａｇが露出した状態に設けられている。接続部３Ａは、外周面に設けられた環状の凹部３Ａａと、金属製パイプ４Ａの内面に連続して形成されたパイプ挿設孔３Ａｂと、金属製パイプ４Ａの後端部が内嵌された段差面３Ａｃと、を有している。
【００７４】
凹部３Ａａは、グリップ部１Ａａの金型成形時に、本体被覆部６Ａａを形成する樹脂材料が、流れ込んで形成されることによって、弾性樹脂部材６Ａを接続部３Ａにしっかりと固定させるための部位である。
段差面３Ａｃは、パイプ挿設孔３Ａｂの内壁面から金属製パイプ４Ａの厚さ分だけ内径が大きく形成されている。段差面３Ａｃは、パイプ挿設孔３Ａｂの前端部位に形成されている。
【００７５】
金属製パイプ４Ａは、第１連動歯車９１と、第２連動歯車９２と、軸受部９４と、を内設した管体である。金属製パイプ４Ａは、歯科用ハンドピース１Ａにおいて、骨格部材としての機能を果す。金属製パイプ４Ａは、略くの字状に曲がって形成された折曲部４Ａａと、首部２Ａｂ内に挿入される前側連結部４Ａｂと、接続部３Ａの前端面３Ａｆとをろう付け等によって接合するための後側接合部４Ａｃと、を有している。
【００７６】
金属製パイプ５Ａは、エアまたは液体をハンドピースヘッド２Ａに供給するための管体であり、金属製パイプ４Ａよりも小径に形成されている。金属製パイプ５Ａは、金属製パイプ４Ａに沿って配置されている。金属製パイプ５Ａは、首部２Ａｂ内に連結された前側連結部５Ａａと、接続部３Ａの前端面３Ａｆとをろう付け等によって接合するための後側接合部５Ａｂと、を有している。
【００７７】
弾性樹脂部材６Ａは、グリップ部１Ａａを形成する本体被覆部６Ａａと、首部２Ａｂに面一の状態で連設された前端部６Ａｂと、接続部３Ａを覆う接続部被覆部６Ａｃと、凹部３Ａａ内に配置された係止部６Ａｄと、を備えている。
【００７８】
弾性樹脂部材６Ａは、前記実施形態の弾性樹脂部材６と同様に、金属製パイプ４Ａ，５Ａの周囲に巻き付けたテープ形状（シート形状）の巻付樹脂部材（図示省略）を高温に加熱された金型８内に配置することで、溶けてグリップ部１Ａａにモールド成形される有色のシリコーン樹脂等の熱可塑性樹脂から成る。
【００７９】
このように、歯科用ハンドピース１Ａは、電動モータで駆動されるものであってもよい。
また、第１変形例の歯科用ハンドピース１Ａのグリップ部１Ａａは、ハンドピースヘッド２Ａの後端から接続部３Ａの外周部前端まで弾性樹脂部材６Ａで覆って、係止部６Ａｄを接続部３Ａの凹部３Ａａに充填するように配置されている。このように形成しても、歯科用ハンドピース１Ａは、弾性樹脂部材６Ａが金属製パイプ４Ａ，５Ａおよび位置ズレしないように、しっかりとモールド成形することができる。
【００８０】
［第２変形例］
図５は、本発明の実施形態に係る歯科用ハンドピースの第２変形例を示す拡大背面図である。図６は、図５のＶＩ−ＶＩ断面図である。図７は、図５のＶＩＩ−ＶＩＩ断面図である。
【００８１】
また、図５〜図７に示すように、歯科用ハンドピース１Ｂは、ハンドピースヘッド２Ｂに設けた歯科用チップ（図示省略）を超音波振動子２１Ｂによって超音波振動させる歯科用スケーラーであってもよい。
【００８２】
この場合、歯科用ハンドピース１Ｂは、先端側に配設されて超音波振動子２１Ｂを有するハンドピースヘッド２Ｂと、後端部に配設された接続部３Ｂと、ハンドピースヘッド２Ｂと接続部３Ｂとを連通する金属製パイプ４Ｂ，５Ｂと、グリップ部１Ｂａを覆う弾性樹脂部材６Ｂと、金属製パイプ４Ｂに内設されて電線５１Ｂからの電力によって駆動される前記超音波振動子２１Ｂと、を備えている。この歯科用ハンドピース１Ｂには、スケーリング（歯石取り）や、イリゲーション（虫歯を削った後の歯の穴や歯周ポケット等の洗浄）を行う歯科用チップを、ハンドピースヘッド２Ｂの先端に着脱自在に設けて治療を行う装置である。歯科用ハンドピース１Ｂは、前端面および後端面を除いて、全体が弾性樹脂部材６Ｂによって覆われている。歯科用ハンドピース１Ｂは、前端側にハンドピースヘッド２Ｂが取り付けられるピース取付部１Ｂｂを有し、後端部に電気接続用のコネクタ部１Ｂｃが設けられている。
【００８３】
ハンドピースヘッド２Ｂには、超音波振動源（圧電素子）と、超音波振動源で発生した振動を伝達する振動伝達部材（ホーン）と、を連結して成る超音波振動子２１Ｂが内蔵されている。
超音波振動子２１Ｂの前端部には、歯科用チップ（図示省略）が交換可能に連結されるチップ取付部２１Ｂａを有している。超音波振動子２１Ｂの後部側には、金属製パイプ４Ｂ，５Ｂが接続されて、全体が弾性樹脂部材６Ｂ内に設けられている。
【００８４】
接続部３Ｂは、前端面３Ｂｆおよび外周部が弾性樹脂部材６Ｂによって覆われ、後端面３Ｂｇがコネクタ部１Ｂｃの奥壁を形成している。接続部３Ｂは、外周面に設けられた凹部３Ｂａと、金属製パイプ４Ｂが挿設されたパイプ挿設孔３Ｂｂと、複数の金属製パイプ５Ｂがそれぞれ挿設されたパイプ挿設孔３Ｂｃと、前端の外周部に形成された環状の鍔部３Ｂｄと、を有している。
【００８５】
凹部３Ｂａは、グリップ部１Ｂａの金型成形時に、本体被覆部６Ｂａを形成する樹脂材料が、流れ込んで形成されることによって、弾性樹脂部材６Ｂを接続部３Ｂにしっかりと固定させるための部位である。
パイプ挿設孔３Ｂｂは、例えば、１本から成る金属製パイプ４Ｂの外径に合わせて形成された孔である。パイプ挿設孔３Ｂｃは、例えば、４本から成る金属製パイプ５Ｂの外径に合わせたそれぞれ形成された４つの孔である。
鍔部３Ｂｄは、凹部３Ｂａと同様に、グリップ部１Ｂａの金型成形時に、本体被覆部６Ｂａを形成する樹脂材料で覆われることによって、弾性樹脂部材６Ｂを接続部３Ｂにしっかりと固定させるための部位である。
【００８６】
金属製パイプ４Ｂは、水等の液体を供給するための管体である。金属製パイプ４Ｂは、歯科用ハンドピース１Ｂにおいて、骨格部材としての機能を果す１本の配管から成る。金属製パイプ４Ｂは、略中央部が接続部３Ｂに接合され、前端部の前側接続部４Ｂａが超音波振動子２１Ｂに接続され、後端部の後側接続部４Ｂｂがコネクタ部１Ｂｃ内に突出した状態に配置されている。
【００８７】
金属製パイプ５Ｂは、超音波振動子２１Ｂに電力を供給するための導電体であり、金属製パイプ４Ｂよりも小径の４本の部材から成る。金属製パイプ５Ｂは、金属製パイプ４Ｂの上方の左右に上下二段に配置されている。金属製パイプ５Ｂは、ケーブル状の電線５１Ｂと、電線５１Ｂに接続された端子５２Ｂと、を備えて構成されている。
電線５１Ｂは、前側接合部５１Ｂａが超音波振動子２１Ｂに接合され、後側接合部５１Ｂｂが端子５２Ｂに接合されている。
端子５２Ｂは、電源等に接続するための電気接続部である。各端子５２Ｂは、外嵌した絶縁部材５３Ｂを介して接続部３Ｂを挿通した状態に固定されている。端子５２Ｂの前端側および後端側は、接続部３Ｂからそれぞれ前後方向に向けて突出したに接続部３Ｂに固定されている。
【００８８】
弾性樹脂部材６Ｂは、グリップ部１Ｂａを形成する本体被覆部６Ｂａと、ピース取付部１Ｂｂの表皮部分を形成する前端部６Ｂｂと、コネクタ部１Ｂｃの表皮部分を形成する接続部被覆部６Ｂｃと、凹部３Ｂａ内に配置された係止部６Ｂｄと、を備えている。
弾性樹脂部材６Ｂを樹脂成形する場合は、まず、超音波振動子２１Ｂと、金属製パイプ４Ｂ，５Ｂと、接続部３Ｂとを連結して、超音波振動子２１Ｂの先端から金属製パイプ４Ｂ，５Ｂの後端周辺にわたって、その周囲全体にテープ形状（シート形状）を巻き付ける。巻き付けた巻付樹脂部材（図示省略）は、有色のシリコーン樹脂等の熱可塑性樹脂から成り、高温に加熱された金型８内に配置することで、溶けて歯科用ハンドピース１Ｂの表皮をモールド成形する。
【００８９】
このように、歯科用ハンドピース１Ｂは、超音波スケーラーであってもよい。
また、弾性樹脂部材６Ｂは、歯科用ハンドピース１Ｂのグリップ部１Ｂａだけではなく、歯科用ハンドピース１Ｂの前端部から後端部にわたって歯科用ハンドピース１Ｂ全体を覆うように配置してもよい。このように形成しても、歯科用ハンドピース１Ｂは、弾性樹脂部材６Ｂが位置ズレしないように、しっかりとモールド成形することができる。
【００９０】
［その他の変形例］
また、第１変形例の歯科用ハンドピース１Ａは、ハンドピースヘッド２Ａ内に電動モータを設置して、その電動モータに接続したリード線を金属製パイプ４Ａ，５Ａ内に挿通したり、リード線を弾性樹脂部材６Ａ内に直接挿通させたりしてもよい。
【００９１】
また、本実施形態において、グリップ部１ａを形成する弾性樹脂部材６は、金属製パイプ４，５に巻き付けたシート状の樹脂を高温の金型８で溶かしてモールド成形した場合を説明したが、いわゆるインジェクション樹脂成形（射出成形）で形成してもよい。
【符号の説明】
【００９２】
１，１Ａ，１Ｂ  歯科用ハンドピース
２，２Ａ，２Ｂ  ハンドピースヘッド
３，３Ａ，３Ｂ  接続部
３ａ    連通孔
３Ａａ，３ｂ，３Ｂａ  凹部
４，４Ａ，４Ｂ，５，５Ａ，５Ｂ  金属製パイプ
６，６Ａ，６Ｂ  弾性樹脂部材
６ａ，６Ａａ，６Ｂａ  本体被覆部
６ｂ    シール部
６ｃ    連通部
【図１】
2018007846.tif 000003
【図２】
2018007846.tif 000004
【図３】
2018007846.tif 000005
【図４】
2018007846.tif 000006
【図５】
2018007846.tif 000007
【図６】
2018007846.tif 000008
【図７】
2018007846.tif 000009
【手続補正書】
【提出日】平成28年12月14日(2016.12.14)
【手続補正１】
【補正対象書類名】特許請求の範囲
【補正対象項目名】請求項４
【補正方法】変更
【補正の内容】
【請求項４】
前記弾性樹脂部材は、着色された熱硬化性樹脂であること、
を特徴とする請求項１から請求項３のいずれか１項に記載の歯科用ハンドピース。
【手続補正２】
【補正対象書類名】特許請求の範囲
【補正対象項目名】請求項５
【補正方法】変更
【補正の内容】
【請求項５】
前記着色された熱硬化性樹脂は、シリコーン樹脂であること、
を特徴とする請求項４に記載の歯科用ハンドピース。
【手続補正３】
【補正対象書類名】明細書
【補正対象項目名】００１３
【補正方法】変更
【補正の内容】
【００１３】
また、前記弾性樹脂部材は、着色された熱硬化性樹脂であることが好ましい。
【手続補正４】
【補正対象書類名】明細書
【補正対象項目名】００１４
【補正方法】変更
【補正の内容】
【００１４】
かかる構成によれば、弾性樹脂部材は、着色された熱硬化性樹脂であることによって、歯科用ハンドピースのグリップ部を使用者の好みの色にすることができる。また、歯科用ハンドピースの種類毎に色分けしたり、本体の色彩と共通化したりすることができる。
【手続補正５】
【補正対象書類名】明細書
【補正対象項目名】００１５
【補正方法】変更
【補正の内容】
【００１５】
また、前記着色された熱硬化性樹脂は、シリコーン樹脂であることが好ましい。
【手続補正６】
【補正対象書類名】明細書
【補正対象項目名】００１６
【補正方法】変更
【補正の内容】
【００１６】
かかる構成によれば、弾性樹脂部材である熱硬化性樹脂は、シリコーン樹脂から成ることによって、使用者はソフトな感触で把持することができる。また、シリコーン樹脂の部位が、患者の歯に接触したり、落下したりしたときの衝撃を緩衝することができる。
【手続補正７】
【補正対象書類名】明細書
【補正対象項目名】００３９
【補正方法】変更
【補正の内容】
【００３９】
弾性樹脂部材６は、金属よりも軽く、可撓性および弾力性を有する熱硬化性樹脂から成る。弾性樹脂部材６は、さらに、具体的には無色のシリコーン樹脂を所望の色に着色した有色の合成樹脂から成る。弾性樹脂部材６は、図３に示すように、金属製パイプ４，５の周囲に巻き付けたテープ形状（シート形状）の巻付樹脂部材６１を高温に加熱された金型８内に配置されることで、溶けてグリップ部１ａにモールド成形される。
【手続補正８】
【補正対象書類名】明細書
【補正対象項目名】００６２
【補正方法】変更
【補正の内容】
【００６２】
また、弾性樹脂部材６である熱硬化性樹脂は、シリコーン樹脂から成ることによって、使用者はソフトな感触で把持することができると共に、滑り難いので、扱い易い。また、シリコーン樹脂の部位が、患者の歯に接触したり、落下したりしたときの衝撃を緩衝することができる。
【手続補正９】
【補正対象書類名】明細書
【補正対象項目名】００６３
【補正方法】変更
【補正の内容】
【００６３】
また、弾性樹脂部材６は、着色された熱硬化性樹脂であることによって、歯科用ハンドピース１のグリップ部１ａを使用者の好みの色にすることができる。また、歯科用ハンドピース１の色を種類毎に色分けしたり、本体の色彩と共通化したりすることができる。
【手続補正１０】
【補正対象書類名】明細書
【補正対象項目名】００７８
【補正方法】変更
【補正の内容】
【００７８】
弾性樹脂部材６Ａは、前記実施形態の弾性樹脂部材６と同様に、金属製パイプ４Ａ，５Ａの周囲に巻き付けたテープ形状（シート形状）の巻付樹脂部材（図示省略）を高温に加熱された金型８内に配置することで、溶けてグリップ部１Ａａにモールド成形される有色のシリコーン樹脂等の熱硬化性樹脂から成る。
【手続補正１１】
【補正対象書類名】明細書
【補正対象項目名】００８８
【補正方法】変更
【補正の内容】
【００８８】
弾性樹脂部材６Ｂは、グリップ部１Ｂａを形成する本体被覆部６Ｂａと、ピース取付部１Ｂｂの表皮部分を形成する前端部６Ｂｂと、コネクタ部１Ｂｃの表皮部分を形成する接続部被覆部６Ｂｃと、凹部３Ｂａ内に配置された係止部６Ｂｄと、を備えている。
弾性樹脂部材６Ｂを樹脂成形する場合は、まず、超音波振動子２１Ｂと、金属製パイプ４Ｂ，５Ｂと、接続部３Ｂとを連結して、超音波振動子２１Ｂの先端から金属製パイプ４Ｂ，５Ｂの後端周辺にわたって、その周囲全体にテープ形状（シート形状）を巻き付ける。巻き付けた巻付樹脂部材（図示省略）は、有色のシリコーン樹脂等の熱硬化性樹脂から成り、高温に加熱された金型８内に配置することで、溶けて歯科用ハンドピース１Ｂの表皮をモールド成形する。
【手続補正書】
【提出日】平成29年9月12日(2017.9.12)
【手続補正１】
【補正対象書類名】特許請求の範囲
【補正対象項目名】請求項１
【補正方法】変更
【補正の内容】
【請求項１】
先端部に配設されたハンドピースヘッドと、後端部に配設された接続部と、を有し、
前記接続部を歯科用ユニットに接続して使用する歯科用ハンドピースであって、
前記ハンドピースヘッドと前記接続部とを連通する複数の金属製パイプと、
少なくとも前記ハンドピースヘッドの後端部から前記接続部の先端部までを覆うように装着された弾性樹脂部材と、を備え、
前記複数の金属製パイプの外周部が前記弾性樹脂部材の内部に密着して埋設された状態で内在すると共に、前記弾性樹脂部材は、前記ハンドピースヘッド、前記接続部、および、前記各金属製パイプのそれぞれの間に隙間なく密着した状態に形成されていることを特徴とする歯科用ハンドピース。
【手続補正２】
【補正対象書類名】明細書
【補正対象項目名】０００７
【補正方法】変更
【補正の内容】
【０００７】
前記課題を解決するため、本発明に係る歯科用ハンドピースは、先端部に配設されたハンドピースヘッドと、後端部に配設された接続部と、を有し、前記接続部を歯科用ユニットに接続して使用する歯科用ハンドピースであって、前記ハンドピースヘッドと前記接続部とを連通する複数の金属製パイプと、少なくとも前記ハンドピースヘッドの後端部から前記接続部の先端部までを覆うように装着された弾性樹脂部材と、を備え、前記複数の金属製パイプの外周部が前記弾性樹脂部材の内部に密着して埋設された状態で内在すると共に、前記弾性樹脂部材は、前記ハンドピースヘッド、前記接続部、および、前記各金属製パイプのそれぞれの間に隙間なく密着した状態に形成されていることを特徴とする。
【手続補正３】
【補正対象書類名】明細書
【補正対象項目名】０００８
【補正方法】変更
【補正の内容】
【０００８】
かかる構成によれば、歯科用ハンドピースの金属製パイプの外周部は、弾性樹脂部材の内部に密着して埋設された状態で内在すると共に、弾性樹脂部材は、ハンドピースヘッド、接続部、および、各金属製パイプのそれぞれの間に隙間なく密着した状態に形成されていることで、金属製パイプの外周部を弾性樹脂部材で隙間が無く覆って、気密性を高めることができる。特に、弾性樹脂部材は、接続部の後端部を覆うことで、薬剤や、菌や、塵内等が部材内に侵入するのを防止することができる。
また、歯科用ハンドピースは、ハンドピースヘッドの後端部から接続部の先端部までのグリップ部を弾性樹脂部材で形成したことによって、金属製のものと比較して軽量化することができる。このため、操作性を向上させることができると共に、長時間使用しても、疲れないようにすることができる。
また、弾性樹脂部材製のグリップ部は、金属製のものと比較して、熱伝導性が低いので、滅菌処理後に直ぐに使用することができる。また、そのグリップ部は、金属と比べて弾性を有しているので、患者の歯に接触したときの違和感を緩和することができる。